(57)【要約】【課題】実際の木目のような外観に見えやすい塗膜構成体を提供する。【解決手段】着色受理層２と、該着色受理層２の表面に部分的に設けられる着色層３と、を備える塗膜構成体１である。着色受理層２は光沢を有し、着色層３は着色受理層２よりも光沢が少なくて濃色に形成されている。【選択図】図１
2018051866.tif 000002
【特許請求の範囲】
【請求項１】
着色受理層と、
該着色受理層の表面に部分的に設けられる着色層と、
を備える塗膜構成体であって、
前記着色受理層は光沢を有し、
前記着色層は前記着色受理層よりも光沢が少なくて濃色に形成されている
塗膜構成体。
【請求項２】
請求項１において、
前記着色受理層はマイカを含有している塗膜構成体。
【請求項３】
請求項１又は２において、
前記着色層で木目の年輪部分を表現し、
前記着色受理層で木目の非年輪部分を表現している
塗膜構成体。
【発明の詳細な説明】
【技術分野】
【０００１】
本発明は、塗膜構成体に関する。詳しくは、建材等の表面に設けられた塗膜構成体に関する。
【背景技術】
【０００２】
従来、基材の表面に塗膜を設けて建材が形成されており、この場合、複数の塗膜が積層した塗膜構成体を基材の表面に形成するようにしている（例えば、特許文献１参照）。
【０００３】
図２Ａ及び図２Ｂには、表面が木目調に形成された建材２０の一例を示している。建材２０は、表面が凹凸面に形成された基材２４と、凹凸面の全面に亘って形成された受理層２２と、受理層２２の表面に全面に亘って形成されたインク層２３とを備えて形成されており、受理層２２とインク層２３とで塗膜構成体２１が形成されている。受理層２２はインク層２３が定着しやすい塗膜で形成されている。また受理層２２は、インク層２３の発色が得やすいように白色で形成されている。インク層２３はフルカラーのインクジェットプリンタ等を用いて印刷により形成されており、木目調にデザインされている。通常は、白地の受理層２２に対して、ＣＭＹＫ（シアン、マゼンタ、イエロー、黒）インクを網点としてインク層２３を印刷してデザインをつけるようにしている。木目調のインク層２３をフルカラーのインクジェット印刷で表現する際は、インクを吸収して定着させる白色の受理層２２の凹凸柄に合わせて、受理層２２の全面にわたって印刷を行うようにしている。そして、基材２４の凹凸面の凸部の箇所で木目の年輪部分２３１を表現し、基材２４の凹凸面の凹部の箇所で木目の非年輪部分（年輪でない部分）２３２を表現している。
【先行技術文献】
【特許文献】
【０００４】
【特許文献１】特開２００７−１５４４３２号公報
【発明の概要】
【発明が解決しようとする課題】
【０００５】
しかし、実際の木目は、年輪部分が濃色で表面の光沢が少なく、非年輪部分は年輪部分に比べて淡色で光沢がある。すなわち、実際の木目は、場所によって光沢の度合いが異なっているが、上記のようなインクジェット印刷による全面の印刷では、光沢のコントロールが難しく、塗膜構成体の木目調を実際の木目のような外観にすることが難しかった。
【０００６】
本発明は上記の点に鑑みてなされたものであり、実際の木目のような外観に見えやすい塗膜構成体を提供することを目的とするものである。
【課題を解決するための手段】
【０００７】
本発明に係る塗膜構成体は、
着色受理層と、
該着色受理層の表面に部分的に設けられる着色層と、
を備える塗膜構成体であって、
前記着色受理層は光沢を有し、
前記着色層は前記着色受理層よりも光沢が少なくて濃色に形成されている。
【０００８】
上記塗膜構成体において、前記着色受理層はマイカを含有していることが好ましい。
【０００９】
上記塗膜構成体において、前記着色層で木目の年輪部分を表現し、前記着色受理層で木目の非年輪部分を表現していることが好ましい。
【発明の効果】
【００１０】
本発明は、光沢を有する着色受理層で木目の非年輪部分を表現することができ、着色受理層よりも光沢が少なくて濃色に形成されている着色層で木目の年輪部分を表現することができ、実際の木目のような外観に見えやすい。
【図面の簡単な説明】
【００１１】
【図１】図１Ａは、本発明に係る塗膜構成体の一実施の形態を示す断面図である。図１Ｂは、本発明に係る塗膜構成体の一実施の形態を示す平面図である。
【図２】図２Ａは、従来例を示す断面図である。図２Ｂは、従来例を示す平面図である。
【発明を実施するための形態】
【００１２】
以下、本発明を実施するための形態を説明する。
【００１３】
図１Ａ及び図１Ｂには、本実施の形態の塗膜構成体１を備えた建材１０が示されている。塗膜構成体１は基材４の表面（上面）に全面にわたって設けられている。塗膜構成体１は着色受理層２と着色層３とで構成されている。着色受理層２は基材４の表面に全面にわたって設けられている。着色層３は着色受理層２の表面に部分的に設けられている。
【００１４】
基材４は略平板状に形成されており、その表面には凹凸面を有している。凹凸面は複数の凸部４０と複数の凹部４１とが交互に繰り返すように形成されるが、凸部４０の幅寸法や高さ寸法及び凹部４１の幅寸法や深さ寸法は一定でなくてもよく、ランダムに形成することが可能である。基材４は各種の材質で形成することができ、例えば、セメントを含む成形材料の硬化物である窯業系基材、金属板を成形して得られる金属系基材、樹脂材料を成形して得られる樹脂系基材などがある。
【００１５】
着色受理層２は着色層３を構成するインクを吸収するなどして定着、発色しやすくするための塗膜である。着色受理層２の塗膜は、例えば、アクリル系エマルションをベースにしたアクリル樹脂塗料やアクリルシリコン系エマルションをベースにしたアクリルシリコン樹脂塗料などの塗膜である。着色受理層２は、インクの定着性を向上させるために体質顔料や吸湿性樹脂などを含有していることが好ましい。また着色受理層２は、基材４の隠蔽性やインクの定着性のために、２０〜１８０μｍの厚みで形成することが好ましい。着色受理層２は、基材４の凹凸面に沿って密着させて全面にわたって形成されている。着色受理層２は所望のデザインの塗膜構成体１に応じて適宜着色されていても良い。
【００１６】
着色層３は建材１０の表面に各種の色、柄、模様を付与して化粧し、デザインするための印刷層である。着色層３はインクジェットプリンタなどでデザイン性を高くして印刷して形成することができる。着色層３は、イエロー、シアン、マゼンタ、ブラックの各色の水性インクなどで形成することが可能である。着色層３は着色受理層２の表面に設けられているが、凸部４０の上面に対応する位置（凸部４０の上方）に設けられており、凹部４１に対応する位置には設けられていない。このようにして着色層３は凸部４０の平面形状に沿った形状に形成される。また着色層３が形成されていない箇所では、着色受理層２が着色層３では覆われなくなって、建材１０の表面の意匠を構成することになる。
【００１７】
上記のように形成される塗膜構成体１において、着色受理層２は着色層３よりも光沢（艶）が高く、且つ着色層３よりも淡色になっている。すなわち、着色層３は着色受理層２よりも光沢が低く、且つ着色受理層２よりも濃色になっている。ここで、「光沢」とは、ＪＩＳ  Ｋ  ５６００−４−７：１９９９「塗料一般試験方法−第４部：塗膜の視覚特性−第７節：鏡面光沢度」に準拠して測定されるものである。本実施の形態においては、着色受理層２の鏡面光沢度が３０〜６０であることが好ましく、着色層３の鏡面光沢度が３０未満であることが好ましい。
【００１８】
ここで、着色受理層２の光沢などの外観を調整するにあたっては、マイカを使用することができる。例えば、マイカの含有量を増減させることで、着色受理層２の光沢を増減させたり、マイカを着色受理層２に部分的に含有させて着色受理層２の光沢を不均一にしたり、マイカの形状を変化させることで光沢の度合いを変えたりすることができる。また光沢の色味を木肌に近い黄色味に近づけるために、酸化鉄でコーティングされたマイカを使用することも可能である。マイカの含有量は、着色受理層２に対する所望の光沢度に応じて、適宜調整可能であるが、着色受理層２の全量に対して０．１〜３０質量％とすることができ、より好ましくは、着色受理層２の全量に対して１〜１０質量％とすることができる。
【００１９】
本実施の形態の塗膜構成体１は以下のようにして形成することが可能である。
【００２０】
まず、基材４の表面（凹凸面）に着色受理層２を形成するための塗料を全面にわたって塗布する。この塗料は、建材１０のデザイン等に適した色に着色されていても良いし、マイカを含有していてもよい。塗布方法は、特に限定されず、例えば、ロール塗装やスプレー塗装などを採用することができる。基材４の表面に塗布された塗料は乾燥硬化することで着色受理層２が形成される。
【００２１】
次に、着色層３を着色受理層２の表面に形成する。この場合、着色層３はインクジェット印刷等により形成することができる。すなわち、着色層３を形成するためのインク３１をドット状に着色受理層２の表面に付着させるようにして印刷することができる。そしてインク３１を乾燥硬化させることにより着色層３が形成される。ここで、着色層３は基材４の凸部４０の頂面に対応する位置に設けられ、これにより、着色層３により木目の年輪部分を表現することができる。また着色層３が形成されていない着色受理層２により木目の非年輪部分を表現することができる。
【００２２】
このように形成される塗膜構成体１は、非年輪部分を表現する着色受理層２の光沢が強調され、年輪部分を表現する着色層３の光沢が抑制されることで、平面視で見た場合に、実際の木目のような外観を有する木目調に形成される。また着色層３は着色受理層２の全面には印刷せずに、年輪部分を表現する部分のみに局所的な印刷となるために、着色層３の形成時のコストダウンを図ることができる。
【符号の説明】
【００２３】
１  塗膜構成体
２  着色受理層
３  着色層
４  基材
【図１】
2018051866.tif 000003
【図２】
2018051866.tif 000004